(57)【要約】      （修正有）【課題】強度・柔軟性・軽量化・通気性・耐熱性・対紫外線・洗濯可能回数を考慮し形成作品ごとに適切な素材を用い、形状を保持することを目的とした土台パーツとする。【解決手段】バックや鞄・帽子・洋服・容器類のおおよその形状を保持する土台パーツと製作補助と補強パーツを提供するもので、各パーツの必要箇所に印付け・溝・空き・穴・模様を入れ一部分に蛇腹形を用いることで、パーツそのものが型紙・芯地・裏地・バイヤステープの機能を兼ね備えることとなり、そのパーツを表地で包み込み結合組み合わせを行うことで縫製作業工程の簡素化を図ることができ、ミシンを持たない人や縫製知識がない人でも楽しみながら独自性・独創性のある作品作りを可能にし、さらに、解体し表地を変え複数回利用したり、その際に一部のパーツを取り替え組み合わせを変えることにより変形作品への展開が多様であることを特色とする。【選択図】図１−１
2017029570.tif 000002
【特許請求の範囲】
【請求項１】
縫製品形状の土台となるさまざまなパーツと補助・補強を目的としたパーツや関連する付属品を提供するものである。従ってパーツの必要箇所に、表地の抜け溝や、厚みに対して微調整可能な蛇腹形を使用し、ガイド用溝や目印を付け作業をし易くし、軽量化を図るための切り溝や空きを設け、内袋使用の場合はその底面にファスナーを付けると共に、そのファスナーの横裏面に保護カバーを内蔵させている。さらにネジ挿入の穴はネジの頭部がパーツ表側と一体化するよう工夫している。縫製済みの内ポケット袋、出来上りをきれいに見せるためのガイド用定規、作業をし易くするためのネジ固定パーツなど、縫製を総合的にサポートできるよう考案していることを特徴とする。
【発明の詳細な説明】
【技術分野】
【０００１】
本発明は、軟質・硬質、およびその組み合わせによる合成樹脂や化学繊維・紙などの素材のほか一部分に金属を用いて、縫製品や鞄・容器類を作成する際に形状を保つことができるよう使用する土台パーツと補助、補強パーツ、その付属品に関するものである。
【背景技術】
【０００２】
現在縫製品の作成に当たっては、型紙の作成・型紙を写した表地の作成・表地に縫い線の目印となる切り躾の作成・芯地の作成・裏地の作成など作業工程が複雑で縫製知識が必要である。そこで縫製品・鞄・容器類などの土台となるパーツを提供し、作品作りを容易にできるよう工夫したものである。古くなった和服・洋服地を表地として再利用することを積極的に推奨し、楽しみながら独自性・意外性のある作品に変えていくことが活発に行われるよう、作業の簡素化を大きな目的として考案している。
【０００３】
各パーツは    一部をはぶき解体することが出来るため、表地の取り替え・内袋の洗濯なども可能であり、複数回使用できる利点がある。さらにパーツの一部分を使用しなかったり、不要な部分を切り取ってしまったり、相対する部分を違う形状のパーツに取り替えたりすることで、大きさや形の変化・軽量化を図ることができ、さまざまなデザインに展開可能であることを特色とする。
【先行技術文献】
【特許文献】
【０００４】
【特許文献１】特開２００２−２７２５２４号公報
【特許文献２】特開平１１−２９０１１１号公報
【発明の概要】
【発明が解決しようとする課題】
【０００５】
現在、古い布などは再利用されずに処分されているものが多く、ごく一部の人しか他の作品に再利用する知識や手段を持っていない状況である。
【課題を解決するための手段】
【０００６】
本発明は、ミシンを持たない人や縫製知識がない人でも作品作りが容易となるため、再利用できずに廃棄するような洋服地などを表地として再利用することが可能である。製品の土台となるパーツにネジ穴・ガイド用穴・目印などを付けて提供することにより、簡単に作業を進めていくことができ、ひと組のパーツでも一部の表地を取り替えるなどパーツと布の使い方次第でいろいろな展開ができるよう考案しているものである。
【発明の効果】
【０００７】
パーツそのものが作品の型紙となるため従来のような型紙作成やしつけなどの印を必要とせず、またパーツによっては芯地・裏地・バイヤステープなどの代用となる要素を兼ね備えた機能を持たせているものもあり、作業の単純化が可能となる。
【０００８】
一部のパーツをはぶき、それぞれのパーツを複数回利用できる利点があるため、古布の活発な利用が望めると共に、人やペット・帽子とバック、また親子お揃いでの利用を特に楽しんでもらえるよう期待するところである。
【０００９】
縫製知識のない初心者やミシンを持たない人を想定し土台となる各パーツと付属品を総合的に提供することで、容易に作品作りが可能であるよう考案しているが、初期状態の表地上でさまざまな加工作業を済ますことが出来るため縫製知識のある人にとっても得意分野を活かしながら作業の簡素化を図ることが期待できる。さらに、バック作成などにおいて、ミシンでは布地の重なりで厚くなるコーナーの処理も、ネジを用いることで強度を増しての対応が可能である。
【図面の簡単な説明】
【００１０】
【図１−１】バックを例にした構成パーツ図である。（実施例１）
【図１−２】各パーツ結合イメージ図である。
【図１−３】表地で包みバックとして完成させた縮小イメージ図である。
【図２】底面の説明図である。
【図３】前面（背面）の説明図である。
【図４】側面の説明図である。
【図５−１】開き口パーツの説明図である。
【図５−２−１】開き口と持ち手が繋がったパーツ例の説明図である。
【図５−２−２】開き口と持ち手が繋がったパーツの側面説明図である。
【図６−１】保護カバー付き内袋の説明図である。
【図６−２】重ね内袋の説明図である。
【図７−１】ファスナー付き出来上り内ポケットの説明図である。
【図７−２】ポケット口補助パーツの説明図である。
【図８】固定ネジ挿入の説明図である。
【図９−１−１】連結固定ネジの正面図である。
【図９−１−２】連結固定ネジの背面図である。
【図９−１−３】連結固定ネジの側面図である。
【図９−１−４】連結固定ネジに使用する連結ワッシャーの正面図である。
【図９−２】コーナー連結固定ネジを背面斜めから見た拡大図である。
【図９−３】単独固定ネジの正面図である。
【図９−４】底面・側面・前面パーツ結合時の詳細説明図である。
【図１０】側面を替えて底面不使用の円形バック説明図である。（実施例２）
【図１０−１】丸みのあるバックの表地抜け溝説明図である。（実施例３）
【図１０−２】丸みのあるバックの底面表地抜け溝説明図である。
【図１１】丸みのあるパーツに対する補強パーツの説明図である。
【図１２−１】片側に印付けしたテープ状補助パーツの説明図である。
【図１２−２】両側に印付けしたテープ状補助パーツの説明図である。
【図１２−３】パーツのつなぎ合わせ補助パーツ例の説明図である。
【図１３】かぶせシート状補助パーツ例の説明図である。
【図１４−１】ネジ締め補助パーツの底面図である。
【図１４−２】ネジ締め補助パーツの中央位置からの断面説明図である。
【図１４−３】ネジ締め補助パーツの側面図である。
【図１５−１】ジャケット前身頃と関連パーツ説明図である。（実施例４）
【図１５−２】後ろ見頃パーツ図である。
【図１５−３】袖パーツの詳細説明図である。
【図１５−４】前身頃と後ろ身頃の肩結合部分拡大説明図である。
【図１５−５−１】前身頃脇ダーツの拡大説明図である。
【図１５−５−２】前身頃脇ダーツに表地をかぶせた状態の説明図である。
【図１５−６】ウエストタックの拡大説明図である。
【図１６−１】六枚はぎ帽子のパーツ一枚の説明図である。（実施例５）
【図１６−２】帽子頭部パーツ３枚を並べた説明図である。
【図１６−３】つば部分の説明図である。
【図１６−４】頭部パーツ結合時の底部から見た断面拡大説明図である。
【図１７】ガイド用定規の説明図である。
【発明を実施するための形態】
【００１１】
過重負担・軽量化・通気性・耐熱性・対紫外線・洗濯可能回数など製作品の考慮点ごとにパーツの素材を適切に使用し、表地に対してより柔軟性を保つようにしながらも部分的に硬度や強度を変え、縫製品の土台としての使用を実現させるものである。
【実施例１】
【００１２】
図１−１ではバック作成を例に関連する各構成パーツを示し、１に底面、２に前面、３に背面、４に側面、５に開き口のパーツを示しており、それぞれの説明図として、図２に底面、図３に前面および背面、図４に側面、図５−１に開き口パーツ、図５−２−１に開き口の前面と持ち手が繋がったパーツ、図５−２−２にその持ち手が繋がったパーツの側面図を示している。低面・前面・背面・側面の各パーツを結合させると図１−２となり、さらに図５−２−１の開き口と持ち手が繋がったパーツを使用して表地をかぶせ結合させ作成した例が図１−３で縮小イメージ図として示しているが、図５−１の開き口パーツに既存の持ち手や側面に肩掛けベルトなどを施し形状を変化させることも可能である。
図２底面の６は底鋲穴、７−１・７−２・７−３・７−４はパーツを包み込んだ際に生じる表地の余分な布の抜け溝を各コーナー４か所に設けたものである。図３で示した８は結合部分の浮が気になる場合やネジを使用しないで作成する時に使用する返し縫いなどのガイド用穴である。９は８のガイド用穴を縦・横両方に対応させたものである。１０は作業をし易くするための指を入れる切り込みを入れた溝、１１は軽量化を図るためや指を入れて作業をし易くするための開きである。１２−２はネジを挿入する穴であるが図面上のいろいろな穴はすべて利用するのではなく、デザインに合わせて必要箇所を使用するものである。図４側面の１４は底面との結合の際に発生する表地の厚みに対応できるよう一段または複数段の蛇腹形状とするものである。図５−１で示した開き口には逆に開けた表地の抜け溝１５を設け、開き口の相対する２面のみ使用する場合などの際は、不要な面を切り取ることも可能である。図５−２−１で示した持ち手は１５−１から１５−２まで繋がっているが切り離しての使用も可能であり、また１５−３も持ち手の長さを選んで切り取り使用できるよう印線を付けているものである。
図６−１は保護カバー付き内袋の詳細図として前面を開きわかりやすく示したもので、１６は袋の内側で１６−aと１６−bはネジ止した後、または縫い終わって取り付けた後、向かい合わせとなる。１７は両開きファスナーで、このファスナーは開いた状態で取り付けるものであり、必要に応じて図６−２の重ね内袋とともに二重に合わせて逆さまに取り付けることにより完成させるものである。１８は保護カバーで、内袋の裏側ファスナー横に取り付け必要な時だけファスナーを開き上部に引き上げ使用するものである。１９は保護カバーを持ちあげて使用する際、持ち手を通す開きであり、２０はデザインにサイド用肩ベルトなどを使用する際の開きで先端の２１はその都度開閉して使用し、２２部分はゴムを通してある。
図３の前面にかぶせる表地には既に図７−１出来上り内ポケットと図７−２のポケット口などに表地をかぶせてポケットを作ったり、図１７のガイド用定規などを利用して、前面・背面・側面の各コーナーに当て布を付けたりなど、装飾・取り付け具などは初期の段階で済ませておくことができる。
ネジの挿入に関しての正面図は図８に示し２５の連結固定ネジ・２６のコーナー連結固定ネジ・２７の単独固定ネジなど数種類がある。連結固定ネジについての詳細は図９−１−１に正面図、図９−１−２に背面図、図９−１−３に側面図として示しており必要な数の連結固定ネジに切り取って使用することも可能である。図９−１−４ではワッシャーを示し、固定ネジと同じく連結・コーナー・単独の種類があるが、ここでは連結ワッシャー正面（背面）図を示したもので、これも必要数に応じて切り取り使用することが可能である。図８の２６のコーナー連結ネジに関しては図９−２に背面斜めから見た拡大図を示し、また２７の単独固定ネジについては図９−３に正面図を示したがこの単独固定ネジは連結固定ネジ２５を切り取って一つの単独固定ネジとすることと同じである。図９−４では２７の単独固定ネジと２７−２のナットとをネジ締めする場合の関連性を含め、拡大詳細図として示している。底面・前面・側面の各パーツを結合させるときにおいて、図２−１底面の１３−１に図４側面の１３−３と図３の前面の１３−２が重なるように合わせネジ穴１２−２からネジ穴１２−３・ねじ穴１２−１を通し締めるものであるがそれぞれのパーツの厚みの違いやネジ穴の形状の違いなどを斜視図にして示したもので、穴１２−１・穴１２−３の正面図が１２−aで穴１２−２の正面図が１２−bである。この１２−２のネジ穴は２７のネジ頭部が隙間なく沈み込むよう工夫し緩みを極力少なくしているものである。
【実施例２】
【００１３】
図１０では実施例１の図３前面（背面）を使用し、側面パーツを２８のような円形に取り替え底面を使用しない場合の筒型バック例を示した。一部分表地をはがした状態で示したもので、底面がないため前面と背面の結合部に図１２−３で示したつなぎ合わせ補助パーツの中央線３２−３を合わせて使用しているものである。このつなぎ合わせ補助パーツは使用する箇所によって切り取り持ち手の補強パーツとしたり、実施例１の側面パーツの代わりに骨組み用として利用し側面に膨らみを持たせたりすることを可能とする。この筒型バック例側面パーツ２８を底面として使用し前面と背面をつなぎ合わせ補助パーツを用いて円筒状にすると巾着型になったり、同じようにパーツ２８を底面とし側面を五角形や六角形などのパーツを用いてつなぎ合わせるとボール状の形状になるなど、パーツの組み合わせによりさまざまな変化が可能である。
【実施例３】
【００１４】
図１０−１では結合部に丸みがあるパーツについてバックの背面を例に示し従来のギャザー・タックを設置する箇所に２９−１や２９−２のように表地抜け溝を長さや数を調整し必要な数だけ設けるものである。同じく底面結合部の丸みに対しても図１０−２の２９−３のように抜け溝を必要数設け表地の重なりを防いで簡単に処理できるようにしたものである。その丸みがあるバックの補強パーツを図１１に示し３０は前面・背面を補強し、３０−１は開き口を３０−２は持ち手を、３０−３は底面との結合部をそれぞれ補強し、３１は側面に取り付ける肩ベルトなどを補強するものである。
【００１５】
図１２−１では３２−１のように片側だけガイド用穴や印付けをしたテープ状補助パーツを示し、図１２−２では３２−２のように両側に印付けをしたものを示したが直線だけでなく各用途に合わせた曲線もある。これは従来のバイヤステープの機能を持たせたり、薄物の縫製品を作成する際の縫い線ガイドテープとなるものである。
【００１６】
各パーツを包み込んだ表地を保護したい場合などに使用するかぶせシート状補助パーツを図１３において実施例１の前面・背面用として示したが無地透明なものから模様入り、あるいは内側の表地が柄となって現れるよう一部切り抜きのほか、場合によっては各パーツや表地を使用せずにこのシート状補助パーツのみで各面を形成しての作品作りも可能である。
【００１７】
図１４−１ではネジ締め補助パーツの底面図を示したが、ネジを締める際に固定ネジを支えるためにこのパーツを利用することでネジ締めを容易にする。これは図９−３の単独固定ネジ２７の２７−１部分に３３−１の突起部分を合わせて固定し、押さえながら締めることによって、より力が加わりやすくなるものである。図１４−２ではネジ締め補助パーツの、３３−２中央位置部分の３３−２aから３３−２bのラインに沿って切断した上部断面図を示し、さらに図１４−３でネジ締め補助パーツの側面図を示している。
【実施例４】
【００１８】
洋服のジャケットを例に図１５−１でダーツ・タックのある前身頃と衿・見返しの関連パーツを示しており３４−aは衿、３４−b−１は衿と衿に続く上前の見返しパーツであり裏面を見ている。３４−b−２は上前裾に対する見返しパーツである。図１５−２で後ろ身頃パーツ（見返し部分パーツ省略）を示し、１５−３で袖のパーツを示している。
図１５−１の３４−１−１前身頃肩部分と図１５−２の３４−１−２後ろ身頃肩部分を結合させる際のイメージ図を図１５−４で拡大して示したが３４−１−３のように通常の縫製において縫い代を片側に倒すところはパーツの段階で既に折り返しているものでありパーツを型紙として表地の裁断に利用する時は開いて使用し、表地をかぶせ肩縫いガイド線３４−１−４と肩縫いガイド線３４−１−５を合わせて縫い終えた後、表地と共にパーツも折り返しの元の状態に戻る仕組みである。図１５−１の３４−２脇ダーツの拡大図を図１５−５−１に示し３４−２−１−１と３４−２−１−２部分はともに脇ダーツの縫いガイド線であり３４−２−２は脇の切り込みガイド線である。その脇ダーツ図１５−５−１に表地をかぶせた状態を図１５−５−２にイメージ図として示しており３４−２−３は表地である。図１５−１の３４−３のウエストタック拡大図が図１５−６であり、３４−３−１の印はウエストタックの切り込みガイド線で３４−３−２の部分は表地を入れ込むために開いている。
袖のパーツを示した図１５−３の後ろ身頃側との結合部３５−１−１については３５−１−１aの円内に、また、前身頃側との結合部３５−２−１については３５−２−１aの円内にそれぞれ詳細を拡大して示している。３５−３−１のラインは半袖作成切り取りガイドライン、３５−３−２は七分袖の作成切り取りガイドライン、３５−３−３は折り返し七分袖作成切り取りガイドラインとして印を付けており、長袖だけでなくパーツの不要な部分を切り取り図１２−１や図１２−２のテープ状補助パーツなどを利用することによって自由なデザインへの変更を可能とする。
【実施例５】
【００１９】
６枚はぎの帽子を例に図１６−１に頭部パーツ一枚を示した。図１６−２は頭部パーツ３枚を結合するために並べたもので、３６−１と３６−２を洋服の例と同様に結合させていくものである。図１６−３はつば部分のパーツを示し図１６−４ではパーツ結合部分の詳細を断面拡大図として示している。
【００２０】
縫製全般に使用できるガイド用定規の詳細を図１７に示しており、３７−１−１・３７−１−２・３７−１−３・３７−１−４はそれぞれ丸みの角度が違っているためポケットやコーナーを丈夫にするための貼り布などの作成時に活用し、この丸みや辺に沿って３７−１−５の様な溝を設けているためこれを利用して表地に印を付けることでステッチ線をより美しく仕上げることができる。３７−２−１・３７−２−２は装飾用ベルトや紐などの作成時に利用するもので、その外側に３７−３のような溝を設けることによりここから表地を引き出し、より正確な幅のベルトや紐を作成することができる。また、３７−４−１・３７−４−２・３７−４−３のように異なる連続溝を設け縫い線やステッチ線の印付けに利用することにより、ミシンでの縫い線のように仕上げる効果がある。
【００２１】
このように、土台パーツと補助・補強パーツ・その付属品を提供することで、ミシンを所持していなくても独自性・独創性のある作品作りが可能となるよう総合的にサポートする考案である。
【産業上の利用可能性】
【００２２】
ものづくりをきっかけとして、古い布・廃棄する布の有効活用などのほか、繊維・縫製・ベルト、金具などの付属品業界への波及効果も期待される。また楽しみながらパーツを複数回利用し続ける過程で縫製に対してより興味を持つことができれば低価格ミシンへの需要も望めると思われる。さらに簡単な作業なので、多忙な人への制作依頼に対応することにより、高齢者・障害者の雇用も期待されるところである。
【符号の説明】
【００２３】
１                 長方形バック例の底面
２                 長方形バック例の前面
３                 長方形バック例の背面
４                 長方形バック例の側面
５                 長方形バック例の開き口
６                 長方形バック例の底鋲穴
７−１            長方形バック例の表地の抜け溝１
７−２            長方形バック例の表地の抜け溝２
７−３            長方形バック例の表地の抜け溝３
７−４            長方形バック例の表地の抜け溝４
８                 結合部の返し縫いガイド用穴
９                 縦と横に対応した返し縫いガイド用穴
１０               指を入れて作業をしやすくするための切り込み溝
１１               軽量化を図るためと指を入れて作業をしやすくするための開き
１２−１          底面のネジ穴
１２−２          前面のネジ穴
１２−３          側面のネジ穴
１２−a           底面穴１２−１と側面穴１２−３の正面図
１２−b           前面穴１２−２の正面図
１３−１          側面と前面との合わせ位置
１３−２          底面と側面との合わせ位置
１３−３          底面と前面との合わせ位置
１４               １段または複数段の蛇腹形状
１５               開き口に設けた表地の抜け溝
１５−１          開き口と持ち手が繋がる部分１
１５−２          開き口と持ち手が繋がる部分２
１５−３          持ち手の長さ変更ガイド線
１６               保護カバー付き内袋の内側
１６−a           向かい合わせ面a
１６−b           向かい合わせ面b
１７               保護カバー付き内袋の両開きファスナー
１８               保護カバー
１９               保護カバーの持ち手通し開き
２０               保護カバーの肩ベルトの通し用開き
２１               保護カバーの肩ベルト通し用先端開閉部分
２２               保護カバーのゴム挿入部分
２３               ファスナー付き出来上り内ポケットのファスナー取り付け部分
２４               ファスナー付き出来上り内ポケットの袋部分縫い止まり位置
２５               連結固定ネジ
２６               コーナー連結固定ネジ
２７               単独ネジ
２７−１          ネジ締め補助パーツで各ネジを固定するための溝
２７−２          ナット
２８               円形バックの側面パーツ
２９−１          丸みのあるバックでの長さの違う表地の抜け溝１
２９−２          丸みのあるバックでの長さの違う表地の抜け溝２
２９−３          丸みのあるバックの底面に設けた表地の抜け溝
３０               丸みのあるバックの前面と背面を補強
３０−１          丸みのあるバックの開き口を補強
３０−２          丸みのあるバックの持ち手を補強
３０−３          丸みのあるバックの底面を補強
３１               丸みのあるバックのサイド肩掛け取り付け部を補強
３２−１          印やガイド用穴が片側一列のテープ状補助パーツ
３２−２          印やガイド用穴が両側二列のテープ状補助パーツ
３２−３          つなぎ合わせ補助パーツ中央合わせライン
３３−１          各ネジの正面溝に入れる突起
３３−２          ネジ締め補助パーツ断面図の中央切断箇所
３３−２a         ネジ締め補助パーツ断面図の切断始まり地点
３３−２b         ネジ締め補助パーツ断面図の切断終わり地点
３４−a            衿パーツ
３４−b−１       衿と衿に続く上前の見返しパーツ
３４−b−２       上前裾に対する見返しパーツ
３４−１−１       前身頃肩端
３４−１−２       後ろ身頃肩端
３４−１−３       パーツの段階で折り返されている肩部分
３４−１−４       肩縫いガイド線１
３４−１−５       肩縫いガイド線２
３４−２            前身頃脇ダーツ線
３４−２−１−１  脇ダーツの縫いガイド線１
３４−２−１−２  脇ダーツの縫いガイド線２
３４−２−２       脇の切り込みガイド線
３４−２−３       パーツにかぶせた表地
３４−３            前身頃ウエストタック
３４−３−１       ウエストタックの切り込みガイド線
３４−３−２       表地を入れ込む開き
３５−１−１       袖の後ろ身頃側との結合部分
３５−１−１a      袖の後ろ身頃側との結合部分拡大図
３５−２−１       袖の前身頃側との結合部分
３５−２−１a      袖の前身頃側との結合部分拡大図
３５−３−１       半袖作成切り取りガイドライン
３５−３−２       七分丈袖の作成切り取りガイドライン
３５−３−３       折り返し七分袖作成切り取りガイドライン
３６−１            帽子パーツ結合位置１
３６−２            帽子パーツ結合位置２
３６−３            帽子パーツ作業用開き
３７−１−１       ガイド用定規の角度違い外カーブ１
３７−１−２       ガイド用定規の角度違い外カーブ２
３７−１−３       ガイド用定規の角度違い外カーブ３
３７−１−４       ガイド用定規の角度違い外カーブ４
３７−１−５       ステッチ用溝ガイドライン
３７−２−１       ベルト作成用幅ガイド１
３７−２−２       ベルト作成用幅ガイド２
３７−３            ベルト作成用溝ガイド
３７−４−１       縫い目用ガイドライン溝１
３７−４−２       縫い目用ガイドライン溝２
３７−４−３       縫い目用ガイドライン溝３
【図１−１】
2017029570.tif 000003
【図１−２】
2017029570.tif 000004
【図１−３】
2017029570.tif 000005
【図２】
2017029570.tif 000006
【図３】
2017029570.tif 000007
【図４】
2017029570.tif 000008
【図５−１】
2017029570.tif 000009
【図５−２−１】
2017029570.tif 000010
【図５−２−２】
2017029570.tif 000011
【図６−１】
2017029570.tif 000012
【図６−２】
2017029570.tif 000013
【図７−１】
2017029570.tif 000014
【図７−２】
2017029570.tif 000015
【図８】
2017029570.tif 000016
【図９−１−１】
2017029570.tif 000017
【図９−１−２】
2017029570.tif 000018
【図９−１−３】
2017029570.tif 000019
【図９−１−４】
2017029570.tif 000020
【図９−２】
2017029570.tif 000021
【図９−３】
2017029570.tif 000022
【図９−４】
2017029570.tif 000023
【図１０】
2017029570.tif 000024
【図１０−１】
2017029570.tif 000025
【図１０−２】
2017029570.tif 000026
【図１１】
2017029570.tif 000027
【図１２−１】
2017029570.tif 000028
【図１２−２】
2017029570.tif 000029
【図１２−３】
2017029570.tif 000030
【図１３】
2017029570.tif 000031
【図１４−１】
2017029570.tif 000032
【図１４−２】
2017029570.tif 000033
【図１４−３】
2017029570.tif 000034
【図１５−１】
2017029570.tif 000035
【図１５−２】
2017029570.tif 000036
【図１５−３】
2017029570.tif 000037
【図１５−４】
2017029570.tif 000038
【図１５−５−１】
2017029570.tif 000039
【図１５−５−２】
2017029570.tif 000040
【図１５−６】
2017029570.tif 000041
【図１６−１】
2017029570.tif 000042
【図１６−２】
2017029570.tif 000043
【図１６−３】
2017029570.tif 000044
【図１６−４】
2017029570.tif 000045
【図１７】
2017029570.tif 000046
【手続補正書】
【提出日】平成28年6月1日(2016.6.1)
【手続補正１】
【補正対象書類名】明細書
【補正対象項目名】全文
【補正方法】変更
【補正の内容】
【発明の詳細な説明】
【技術分野】
【０００１】
本発明は、軟質・硬質、およびその組み合わせによる合成樹脂や化学繊維の素材のほか一部分に金属・ファスナー・ゴムを用いて、作業効率を高めながら容易に縫製品や鞄・容器類を作ることができる土台パーツと補助・補強パーツ、その付属品に関するものである。
【背景技術】
【０００２】
現在縫製品の作成については、型紙の作成・縫い線の目印となる切り躾をした表地の作成・芯地の作成・切り躾をした裏地の作成など作業工程が複雑で縫製知識が必要である。
【先行技術文献】
【特許文献】
【０００３】
【特許文献１】特開２００２−２７２５２４号公報
【特許文献２】特開平１１−２９０１１１号公報
【発明の概要】
【発明が解決しようとする課題】
【０００４】
現在、古い布などは再利用されずに処分されているものが多く、ごく一部の人しか他の作品に再利用する知識や手段を持っていない状況である。
【課題を解決するための手段】
【０００５】
本発明は、ミシンを持たない人や縫製知識がない人でも作品作りが容易となるよう考案しているもので、それぞれ製作物ごとにおおよその形状を保った土台となるパーツの必要部分にネジ穴・ガイド用穴・ガイドライン・目印などを付け、表地で包み込み縫製・組み立て・組み合わせ作業を容易に進めていくことができるよう工夫したものである。
【発明の効果】
【０００６】
各パーツは解体することが出来きるため、内袋の洗濯・表地の取り替えなども可能であり、さらにパーツの一部を使用しなかったり、追加して使用したり、不要な部分を切り取ったり、相対する部分を違う形状のパーツに取り替えたりすることで、大きさや形の変化・軽量化を図ることができ、パーツと布の使い方次第でさまざまなデザイン展開が可能であることを特色とする。
【０００７】
パーツそのものが作品の型紙となるため従来のような型紙作成や切り躾などの印を付ける必要がなく、パーツにプリントを施し提供することで、裏地となったり薄い表地を使用するときには透かし模様となったり、また部分的に硬度・強度を高めることにより芯地となり骨組みとなるものである。さらに裏地を必要としない場合は不要箇所を切り取り軽量化も図れるなど、パーツに複数の要素を兼ね備えた機能を持たせているため、土台としてのパーツを提供することで縫製作業の単純化と効率化が可能となる。
【０００８】
一部のパーツをはぶき、それぞれのパーツを複数回使用できる利点があるため、新しい生地の利用だけでなく、和服・洋服地の再利用を積極的に推奨することで古い布の活発な利用が望めると共に、さまざまな土台パーツを提供することで、帽子とバックや洋服、また親子お揃いなど、独自性・意外性のある作品作りが楽しみながら行われることを特に期待し、作業の簡素化を大きな目的として考案している。
【０００９】
縫製知識のない初心者やミシンを持たない人を想定し、縫製品の土台となる各パーツと付属品を総合的に提供することで作品作りが容易になるよう考案しているが、表地の初期状態でさまざまな加工作業を済ませおおよその形状を保つことができるため、縫製知識がありミシンを持っている人にとっても得意分野を活かしながら作業の簡素化と作品形状の安定を図ることができるものである。さらに、バック作成などにおいて、ミシンでは布地の重なりで厚くなる部分の処理や過重負担の分散・軽減にも、土台パーツの利用やネジの使用で強度を増す対応が可能となる。
【図面の簡単な説明】
【００１０】
【図１−１】バックを例にした構成パーツ図である。（実施例１）
【図１−２】各パーツ結合イメージ図である。
【図１−３】表地で包みバックとして完成させた縮小イメージ図である。
【図２】底面の説明図である。
【図３】前面（背面）の説明図である。
【図４】側面の説明図である。
【図５−１】開き口パーツの説明図である。
【図５−２−１】開き口と持ち手が繋がったパーツ例の説明図である。
【図５−２−２】開き口と持ち手が繋がったパーツ例の側面説明図である。
【図６−１】保護カバー付き内袋の説明図である。
【図６−２】重ね内袋例の説明図である。
【図７−１】ファスナー付き出来上り内ポケット例の説明図である。
【図７−２】ポケット口補助パーツ例の説明図である。
【図８】固定ネジ挿入の説明図である。
【図９−１−１】連結固定ネジの正面図である。
【図９−１−２】連結固定ネジの背面図である。
【図９−１−３−１】連結固定ネジの側面図である。
【図９−１−３−２】連結固定ネジの溝方向拡大図である。
【図９−１−４】連結固定ネジに使用する連結ワッシャーの正面図である。
【図９−２】コーナー連結固定ネジを背面斜めから見た拡大図である。
【図９−３】単独固定ネジの正面図である。
【図９−４−１】底面・側面・前面パーツのネジ締め結合拡大説明図である。
【図９−４−２】ワッシャー使用後のナットとの関係側面拡大詳細説明図である。
【図１０】側面を円形にした場合の変形実施例説明図である。（実施例２）
【図１０−１】丸みのあるバック例の表地抜け溝説明図である。（実施例３）
【図１０−２】丸みのあるバック例の底面表地抜け溝拡大説明図である
【図１１】丸みのあるパーツに対する補強パーツの説明図である。
【図１２−１】片側に印付けしたテープ状補助パーツの説明図である。
【図１２−２】両側に印付けしたテープ状補助パーツの説明図である。
【図１２−３】パーツとパーツのつなぎ合わせ補助パーツ例の説明図である。
【図１３】かぶせシート状補助パーツ例の説明図である。
【図１４−１】ネジ締め補助パーツの底面図である。
【図１４−２】ネジ締め補助パーツの中央位置からの断面説明図である。
【図１４−３】ネジ締め補助パーツの側面図である。
【図１５−１−１】ジャケット上前身頃パーツ説明図である。（実施例４）
【図１５−１−２−１】ジャケット上前見返しパーツ裏面の説明図である。
【図１５−１−２−２】ジャケット後ろ襟接続部分見返しパーツ裏面の説明図である。
【図１５−１−３】ジャケット襟パーツ説明図である。
【図１５−１−４】ジャケット襟パーツを型紙として使用する時の説明図である。
【図１５−２】後ろ見頃パーツ図である。
【図１５−３】袖パーツの詳細説明図である。
【図１５−４】前身頃と後ろ身頃の肩結合部分拡大説明図である。
【図１５−５−１】前身頃脇ダーツ拡大図１の説明である。
【図１５−５−２】前身頃脇ダーツ拡大図２の説明図である。
【図１５−５−３】前身頃脇ダーツに表地をかぶせた状態の説明図である。
【図１５−６】ウエストタックの拡大説明図である。
【図１５−６−１】変形タック用パーツ使用例１（裏面）の説明図である。（実施例５）
【図１５−６−２】変形タック用パーツ使用例１出来上り（表面）の説明図である。
【図１５−６−３】変形タック用パーツ使用例２出来上り（表面）の説明図である。
【図１６−１】六枚はぎ帽子の頭部パーツ１枚の説明図である。（実施例６）
【図１６−２】帽子頭部パーツ３枚を並べた説明図である。
【図１６−３】帽子のつば部分パーツの説明図である。
【図１６−４】帽子の頭部パーツ結合部分の底部から見た拡大説明図である。
【発明を実施するための形態】
【００１１】
過重負担・軽量化・通気性・耐熱性・対紫外線・洗濯可能回数などの考慮点ごとに適切な素材を各パーツに用い、表地に対してより柔軟性を保つようにしながらも部分的に硬度や強度を変え、縫製品の土台としての使用を実現させるものである。
【実施例１】
【００１２】
図１−１ではバックパーツを例に関連する各構成パーツを示し、１に底面、２に前面、３に背面、４に側面、５に開き口のパーツを示しており、それぞれの説明図として、図２に底面、図３に前面(背面)、図４に側面、図５−１に開き口パーツ、図５−２−１に開き口と持ち手が繋がったパーツ、図５−２−２にその開き口と持ち手が繋がったパーツの側面図を示している。底面・前面・背面・側面の各パーツを結合させると図１−２となり、さらに図５−２−１の開き口と持ち手が繋がったパーツを使用して表地をかぶせ結合・作成した例が図１−３で縮小イメージ図として示しているが、図５−１の開き口パーツに既存の持ち手や側面に肩掛けベルトなどを施し形状を変化させることも可能である。
図２底面の６は底鋲穴、７−１・７−２・７−３・７−４はパーツを包み込んだ際に生じる表地の余分な布の抜け溝を各コーナー４か所に設けたものである。図３で示した８は結合部分の浮きが気になる場合やネジを使用しないで作成する時に使用する返し縫いなどのガイド用穴である。９は８のガイド用穴を縦・横両方に対応させたものである。１０は作業をし易くするための指を入れる切り込みを入れた溝、１１は軽量化を図るため、また指を入れて作業をし易くするための開きである。１２−２はネジを挿入する穴であるが図面上のいろいろな穴はすべて利用するのではなく、デザインに合わせて必要箇所を使用するものである。このほか、肩ベルトや持ち手の付け位置を変えたり、ギャザーやタックでの膨らみを加えることでデザイン変化が可能である。図４側面の１４は底面との結合の際に発生する表地の厚みに対応できるよう一段または複数段の蛇腹形状とするものである。図５−１で示した開き口には逆に開けた表地の抜け溝１５を設け、開き口の相対する２面のみ使用する場合は、パーツの不要な面を切り取ることも可能である。図５−２−１で示した開き口と持ち手が繋がったパーツの持ち手は１５−１から１５−２まで繋がっているが切り離しての使用も可能であり、また図５−２−２開き口と持ち手が繋がったパーツの側面図で示した１５−３も持ち手の取り付けの長さを選び短く切り取って使用できるようガイドラインを付けているものである。
図６−１は保護カバー付き内袋の詳細図として前面を開きわかりやすく示した。１６は袋の内側であり１６−１と１６−２はネジ止めした後、または縫い終わって取り付けた後、向かい合わせとなるもので、１６−３は保護カバー付き内袋の縫いガイドラインである。１７は両開きファスナーで、このファスナーは開いた状態で取り付けるものであり、必要に応じて図６−２の重ね内袋とともに二重に合わせて逆さまに取り付けることにより完成させるものである。１８は保護カバーで、あらかじめ、この保護カバー付き内袋の裏側ファスナー横に取り付け済みであり、ファスナーを開き上部に引き上げ使用するものである。１９は保護カバーを持ちあげて使用する際、持ち手を通す開きであり、２０はデザインにサイド用肩ベルトなどを使用する際の開きで先端の２１はその都度開閉して使用し、２２部分はゴムを通してある。
図７−１はファスナー付き出来上り内ポケットのパーツ例を示したもので、これを図７−２のポケット口補助パーツに表地をかぶせた物とともに利用し各パーツの設置可能な穴を選びポケットを配置・固定させるものである。２３−１はファスナー、２３−２はネジ挿入穴、２４はポケット袋の縫い止まり位置を示している。
ネジの挿入に関しての正面図は図８に使用箇所の例を示し２５の連結固定ネジ・２６のコーナー連結固定ネジ・２７の単独固定ネジなど必要箇所に応じて数種類がある。連結固定ネジについての詳細は図９−１−１に正面図、図９−１−２に背面図、図９−１−３−１に側面図として示し図９−１−３−２では連結固定ネジの溝の方向を拡大図にして矢印で示し交互にネジの方向を変えることにより緩みを極力少なくするための工夫をしたもので、必要な数の連結固定ネジに切り取って使用することも可能である。図９−１−４では連結ワッシャー正面図を示したもので、固定ネジと同じ種類がある。図９−２では図８の２６のコーナー連結固定ネジに関して背面斜めから見た拡大図を示し、また２７の単独固定ネジについては図９−３に正面図を示しており、この単独固定ネジは連結固定ネジ２５を切り取って一つの単独固定ネジとすることと同じである。図９−４−１では２７の単独固定ネジ・２７−２のナット・２７−３のワッシャーを用いてネジ締めする場合の関連性を含め、拡大詳細図として示しており、底面・前面・側面の各パーツを結合させるとき、図２の底面１３−１に図４側面の１３−３と図３の前面の１３−２とが重なるよう合わせ、前面パーツネジ穴１２−２から側面パーツネジ穴１２−３・底面パーツネジ穴１２−１を通し締めるものであるが、それぞれのパーツの厚みの違いやネジ穴の形状の違いなどを斜視図にして示したもので、穴１２−１・穴１２−３の正面図が１２−aで穴１２−２の正面図が１２−bである。この１２−２の前面パーツネジ穴は２７のネジ頭部が隙間なく沈み込み固定をさらに強めることができるよう窪みを付けて工夫し緩みを極力少なくするるものであり、また２７−３ワッシャーにおいては開いてナットを挿入し締めた後は図９−４−２で示したようにナットの表面を覆うカバーを兼ね備えるものである。
【実施例２】
【００１３】
図１０では実施例１の図３前面（背面）を二枚使用し、側面パーツを２８のような円形に取り替え底面を使用しない場合の筒型バック例を示した。一部分表地をはがした状態でわかり易く示したもので、底面がないため前面と背面の底の結合部に図１２−３で示したつなぎ合わせ補助パーツの中央線３２−３を合わせて使用しているものである。このつなぎ合わせ補助パーツは使用する箇所によって自由に必要なだけ切り取り持ち手の補強パーツとしたり、実施例１の側面パーツの代わりに骨組み用として利用し側面パーツをあえて使用しないことで図１−３に示したバックの側面の外見に若干の膨らみを持たせた形状を可能とする。この筒型バック例の側面パーツ２８を底面として使用し縦にすると筒状の巾着型になり、また側面を五角形や六角形などのパーツを用いてつなぎ合わせるとボール状になるなど、パーツの組み合わせ変更でさまざまな形状の変化が可能である。
【実施例３】
【００１４】
図１０−１では結合部に丸みがあるパーツ例としてバックの背面を例に示し従来のギャザー・タックを設置する箇所に２９−１や２９−２のように表地抜け溝を長さや数を調整して設け、また各コーナーに１４の蛇腹形を取り入れることにより、底面との間に発生する表地の影響を解消させるものである。同じく底面結合部の丸みに対しても図１０−２の２９−３のように抜け溝を必要数設け表地の重なりを防いで簡単に不要な表地を処理できるものである。この例で示した楕円の底面パーツと図３で示した前面（背面）パーツとつなぎ合わせパーツを利用することもでき、必ずしも底面との円周が合致しなくてもデザインの展開は可能であることを特色としている。この丸みのあるバックの補強パーツを図１１に示し３０は前面・背面を補強し、３０−１は開き口を３０−２は持ち手を、３０−３は底面との結合部をそれぞれ補強し、３１は側面に取り付ける場合の肩ベルトなどを補強するものである。  
【００１５】
図１２−１では３２−１のように片側だけガイド用穴や印付けをしたテープ状補助パーツを示し、図１２−２では３２−２のように両側に印付けをしたテープ状補助パーツを示したが各用途に合わせ直線・曲線があり、これは表地のほつれを少なくする機能を持たせているもので、切り込みを入れ使用したり、薄物の縫製の際には縫い線補強テープとなるものである。
【００１６】
各パーツを包み込んだ表地を保護したい場合などに使用するかぶせシート状補助パーツを図１３において実施例１の前面・背面用として示したが無地透明なものから模様入り、あるいは内側の表地が柄となって現れるよう一部切り抜きもあり、場合によっては前面・背面パーツの代用として使用することも可能である。
【００１７】
図１４−１ではネジ締め補助パーツの底面図を示したが、ネジを締める際に固定ネジを支えるためにこのパーツを利用することでネジ締めを容易にする。これは図９−３の単独固定ネジ２７の２７−１部分に３３−１の突起部分を合わせて固定し、押さえながら締めることによって、より力が加わりやすくなるものである。図１４−２ではネジ締め補助パーツの、３３−２中央位置部分の３３−２aから３３−２bのラインに沿って切断した上部断面図を示し、さらに図１４−３でネジ締め補助パーツの側面図を示している。
【実施例４】
【００１８】
洋服のジャケットを例に図１５−１−１でダーツ・タックのある前身頃を示しており、３４−４−１は前身ごろと襟との取り付け部分で、３４−４−１aの円内に拡大して示し３４−２は脇ダーツ、３４−３はウエストタック部である。図１５−１−２−１では上前の見返しパーツ裏面を示し３４−４−２部分を拡大表示したのが３４−４−２aの円内である。図１５−１−２−２では後ろ襟接続部分見返しパーツの裏面を示し３４−４−３部分を拡大表示したのが３４−４−３aの円内である。襟パーツに関しては図１５−１−３で示し３４−５−１はパーツの角の部分で３４−５−２は襟の縫いガイドラインであるが、縫い代がアイロンがけをした後のようにあらかじめたたみ込まれており、この襟パーツを型紙として使用する場合の縫い代を開いた状態を図１５−１−４で示し３４−５−３は襟を取り付けた際の切り込みガイドラインである。図１５−２後ろ見頃パーツの３４−６−１部分を拡大表示したのが３４−６−１aであり、３４−１−２後ろ見頃肩部分と図１５−１−１の３４−１−１前身頃肩部分を結合させる際のイメージ図を拡大して図１５−４で示したが、襟のパーツと同様にどのパーツも３４−１−３のように通常の縫製において縫い代を片側に倒すところはパーツの段階で既に折り返しているものでありパーツを型紙として表地の裁断に利用する時は開いて使用し、表地をかぶせ肩縫いガイドライン３４−１−４と肩縫いガイドライン３４−１−５を合わせて結合後、表地と共にパーツも折り返しの元の状態に戻る仕組みである。図１５−５−１では図１５−１−１の３４−２脇ダーツを前身ごろ脇ダーツ拡大図１としてに示したが、３４−２のラインに沿って必要に応じパーツに切り込みを入れた後にダーツとしての不要なパーツの一部を切り取り、３４−２−１−１の縫いガイドライン１と３４−２−１−２の縫いガイドライン２を結合させるもので、重なり状態を図１５−５−２に前身ごろ脇ダーツ拡大図２として示し、３４−２−２は折り返してあるパーツ縫い代部分の切り込みガイドラインで、表地とともに必要に応じて切り込みを入れるため、おおよその印付けをしてあるものである。図１５−５−２に表地をかぶせた状態を図１５−５−３でイメージ図として示しており、３４−２−３は表地である。袖パーツを示した図１５−３の後ろ身頃側との結合部３５−１−１について３５−１−１aの円内に、また、前身頃側との結合部３５−２−１については３５−２−１aの円内に詳細を拡大して示している。３５−３−１のラインは半袖作成切り取りガイドライン、３５−３−２は七分丈袖の作成切り取りガイドライン、３５−３−３は折り返し七分袖作成切り取りガイドラインとして印を付けており、長袖だけでなくパーツの不要な部分を切り取り、図１２−１や図１２−２のテープ状補助パーツを利用し切り込みを入れながらカーブラインを調節することによって自由なデザインへの変更を可能とする。
【実施例５】
【００１９】
図１５−６では図１５−１−１のパーツの中に印付けしたウエストタックの拡大図を示し、３４−３−１は切り込みガイドライン、３４−３−２はタック分をつまみ込む切り開き箇所で余分な表地の抜け溝となりここから表地を引き出す。図１５−６−１では大きさを変え強度を増したひとつの変形タック用パーツとして、洋服の裏面に当てた様子を使用例１（裏面）として示し、タックをとりながら裾線を調整した実施後の表から見た出来上り図（表面）を図１５−６−２に示し、さらに図１５−６−３では同じタック用パーツを場所を変えて利用した場合のイメージ図を使用例２出来上り（表面）として示している。既存の洋服をアレンジしてリホームする際は土台パーツを利用することで表地と裏地を一緒に挟み込み簡単にデザインを変化させることも可能である。
【実施例６】
【００２０】
６枚はぎの帽子を例に図１６−１に頭部パーツ１枚を示した。図１６−２は頭部パーツ６枚のうち３枚を結合させるために並べたイメージ図であり、３６−１と３６−２を洋服の例と同様に結合させていくもので、３６−３は作業をしやすくした空きである。図１６−３はつば部分のパーツを示し３６−４はつばと頭部パーツとの結合ガイドラインであり、図１６−４では頭部パーツをつなぎ合わせていく場合の下から見た重なりを拡大図として示している。
【００２１】
このように縫製・組み立て・組み合わせ方法も含めて土台パーツと補助・補強・付属パーツを提供することで、ミシンを持っていなくても、また縫製の知識がなくても独自性・独創性のある作品作りが可能となる考案である。
【産業上の利用可能性】
【００２２】
ものづくりをきっかけとして、古い布・廃棄する布の有効活用や、繊維・縫製・ベルト、金具などの関連業界への波及効果も期待され、また楽しみながらパーツを複数回利用し続ける過程で縫製に対してより興味を持つことができれば低価格ミシンへの需要も望め、さらに、簡単な作業なので多忙な人からの制作依頼を高齢者・障害者が対応することで雇用の面でも期待されるところである。
【符号の説明】
【００２３】
１                 長方形バック例の底面
２                 長方形バック例の前面
３                 長方形バック例の背面
４                 長方形バック例の側面
５                 長方形バック例の開き口
６                 長方形バック例の底鋲穴
７−１            長方形バック例の表地の抜け溝１
７−２            長方形バック例の表地の抜け溝２
７−３            長方形バック例の表地の抜け溝３
７−４            長方形バック例の表地の抜け溝４
８                 結合部の返し縫いをする場合のガイド用溝
９                 縦と横に対応した返し縫いをする場合のガイド用溝
１０               指を入れて作業をしやすくするための切り込み溝
１１               軽量化を図るためと指を入れて作業をしやすくするための開き
１２−１          底面パーツのネジ穴
１２−２          前面（背面）パーツのネジ穴
１２−３          側面パーツのネジ穴
１２−a           底面パーツ穴１２−１と側面パーツ穴１２−３の正面図
１２−b           前面パーツ穴１２−２の正面図
１３−１          側面と前面との合わせ位置
１３−２          底面と側面との合わせ位置
１３−３          底面と前面との合わせ位置
１４              １段または複数段の蛇腹形状
１５               開き口に設けた表地の抜け溝
１５−１          開き口と持ち手が繋がる部分１
１５−２          開き口と持ち手が繋がる部分２
１５−３          持ち手の長さ変更ガイドライン
１６               保護カバー付き内袋の内側
１６−１          向かい合わせ面１
１６−２          向かい合わせ面２
１６−３          保護カバー付き内袋を縫いつける場合のガイドライン
１７               保護カバー付き内袋の両開きファスナー
１８               保護カバー
１９               保護カバーの持ち手通し開き
２０               保護カバーの肩ベルトの通し用開き
２１               保護カバーの肩ベルト通し用先端開閉部分
２２               保護カバーのゴム挿入部分
２３−１          ファスナー付き出来上り内ポケット
２３−２          ファスナー付き出来上り内ポケットのネジ挿入穴
２４               ファスナー付き出来上り内ポケットの袋部分縫い止まり位置
２５               連結固定ネジ
２６               コーナー連結固定ネジ
２７               単独ネジ
２７−１          ネジ締め補助パーツで各ネジを固定するための溝
２７−２          ナット
２７−３          ワッシャー
２８               円形バックの側面パーツ
２９−１          丸みのあるバックでの長さの違う表地の抜け溝１
２９−２          丸みのあるバックでの長さの違う表地の抜け溝２
２９−３          丸みのあるバックの底面に設けた表地の抜け溝
３０               丸みのあるバックの背面を補強
３０−１          丸みのあるバックの開き口を補強
３０−２          丸みのあるバックの持ち手を補強
３０−３          丸みのあるバックの底面を補強
３１               丸みのあるバックのサイド肩掛け取り付け部を補強
３２−１          片側一列の印やガイド用穴
３２−２          両側二列の印やガイド用穴
３２−３          つなぎ合わせ補助パーツ中央合わせライン
３３−１          各ネジの正面溝に入れる突起
３３−２          ネジ締め補助パーツ断面図の中央切断箇所
３３−２a         ネジ締め補助パーツ断面図の切断始まり地点
３３−２b         ネジ締め補助パーツ断面図の切断終わり地点
３４−１−１       前身頃肩端
３４−１−２       後ろ身頃肩端
３４−１−３       パーツの段階で折り返されている肩部分
３４−１−４       肩結合ガイドライン１
３４−１−５       肩結合ガイドライン２
３４−２            前身頃脇ダーツライン
３４−２−１−１  脇ダーツの縫いガイドライン１
３４−２−１−２  脇ダーツの縫いガイドライン２
３４−２−２       脇の切り込みガイドライン
３４−２−３       パーツにかぶせた表地
３４−３            前身頃ウエストタック
３４−３−１       ウエストタックの切り込みガイドライン
３４−３−２       タックとしての表地抜け溝
３４−４−１       襟取り付け一部分
３４−４−１a     襟取り付け一部分拡大表示
３４−４−２       上前見返しパーツ裏面の一部分
３４−４−２a     上前見返しパーツ裏面の一部分拡大表示
３４−４−３       後ろ襟接続部分の見返しパーツ裏面一部分
３４−４−３a     後ろ襟接続部分の見返しパーツ裏面一部分拡大表示
３４−５−１       襟パーツの角
３４−５−２       襟パーツの縫いガイドライン  
３４−５−３       前身頃との襟取り付け部分切り込みガイドライン
３４−６−１       後ろ見頃肩の一部分
３４−６−１a     後ろ見頃肩の一部分拡大表示
３５−１−１       袖の後ろ身頃側との結合部分
３５−１−１a      袖の後ろ身頃側との結合部分拡大表示
３５−２−１       袖の前身頃側との結合部分
３５−２−１a      袖の前身頃側との結合部分拡大表示
３５−３−１       半袖作成切り取りガイドライン
３５−３−２       七分丈袖の作成切り取りガイドライン
３５−３−３       折り返し七分袖作成切り取りガイドライン
３６−１            帽子の頭部パーツ結合位置１
３６−２            帽子の頭部パーツ結合位置２
３６−３            帽子の頭部パーツ作業用開き
３６−４            帽子頭部パーツとの結合ガイドライン
【手続補正２】
【補正対象書類名】特許請求の範囲
【補正対象項目名】全文
【補正方法】変更
【補正の内容】
【特許請求の範囲】
【請求項１】
縫製品・容器類の形状を保つための土台となるパーツ・補助や補強を目的としたパーツ・パーツとパーツを繋ぎ合わせるために用いるパーツのそれぞれ必要箇所に、余分な表地の抜け溝を設け、包み込む表地の厚みに対し微調整可能な蛇腹形を用い、ガイド用溝・切り込み溝・作業用目印・ガイドラインを付け、軽量化・作業の効率化・デザイン性を図るための空きを設け、補助パーツとしての内袋には底面にファスナーを付けパーツ結合部分の緩みを目視・確認できるようにし、そのファスナーの横裏面に雨や埃をよける保護カバーを内蔵させ、内ポケット袋の結合部分は、ネジ穴またはガイド用の穴やラインと合致するような位置に穴や印を設け、ネジを使用し組み立てる製作の場合は連結させたネジなどを使用し、ネジ締め補助パーツを用いてネジ頭部を固定させることで締めの作業を容易にし、パーツのネジ穴とネジ頭部とが一体化するようネジを挿入する側のパーツに沈み込むような窪みを設け、ネジの溝の方向を交互に反対方向にすることで緩みを極力抑え、ワッシャーはナットのカバーを兼ね備えて覆うような工夫をし、その他一部のパーツでは、型紙として直接表地をあてて裁断できるよう縫い代が倒れる方向に既にパーツの状態で縫い代部分を倒し、通常の縫製で芯地が必要な箇所はパーツの素材を部分的に若干の硬さや厚さを加え、プリントを施すことで裏地としての機能を持たせているものであり、これらの特色を持ったバックや鞄・帽子・洋服・容器類の土台となるパーツと使用する補助・補強パーツおよび製作方法の考案である。
【手続補正４】
【補正対象書類名】図面
【補正対象項目名】全図
【補正方法】変更
【補正の内容】
【図１−１】
2017029570.tif 000047
【図１−２】
2017029570.tif 000048
【図１−３】
2017029570.tif 000049
【図２】
2017029570.tif 000050
【図３】
2017029570.tif 000051
【図４】
2017029570.tif 000052
【図５−１】
2017029570.tif 000053
【図５−２−１】
2017029570.tif 000054
【図５−２−２】
2017029570.tif 000055
【図６−１】
2017029570.tif 000056
【図６−２】
2017029570.tif 000057
【図７−１】
2017029570.tif 000058
【図７−２】
2017029570.tif 000059
【図８】
2017029570.tif 000060
【図９−１−１】
2017029570.tif 000061
【図９−１−２】
2017029570.tif 000062
【図９−１−３−１】
2017029570.tif 000063
【図９−１−３−２】
2017029570.tif 000064
【図９−１−４】
2017029570.tif 000065
【図９−２】
2017029570.tif 000066
【図９−３】
2017029570.tif 000067
【図９−４−１】
2017029570.tif 000068
【図９−４−２】
2017029570.tif 000069
【図１０】
2017029570.tif 000070
【図１０−１】
2017029570.tif 000071
【図１０−２】
2017029570.tif 000072
【図１１】
2017029570.tif 000073
【図１２−１】
2017029570.tif 000074
【図１２−２】
2017029570.tif 000075
【図１２−３】
2017029570.tif 000076
【図１３】
2017029570.tif 000077
【図１４−１】
2017029570.tif 000078
【図１４−２】
2017029570.tif 000079
【図１４−３】
2017029570.tif 000080
【図１５−１−１】
2017029570.tif 000081
【図１５−１−２−１】
2017029570.tif 000082
【図１５−１−２−２】
2017029570.tif 000083
【図１５−１−３】
2017029570.tif 000084
【図１５−１−４】
2017029570.tif 000085
【図１５−２】
2017029570.tif 000086
【図１５−３】
2017029570.tif 000087
【図１５−４】
2017029570.tif 000088
【図１５−５−１】
2017029570.tif 000089
【図１５−５−２】
2017029570.tif 000090
【図１５−５−３】
2017029570.tif 000091
【図１５−６】
2017029570.tif 000092
【図１５−６−１】
2017029570.tif 000093
【図１５−６−２】
2017029570.tif 000094
【図１５−６−３】
2017029570.tif 000095
【図１６−１】
2017029570.tif 000096
【図１６−２】
2017029570.tif 000097
【図１６−３】
2017029570.tif 000098
【図１６−４】
2017029570.tif 000099
【手続補正書】
【提出日】平成28年11月30日(2016.11.30)
【手続補正１】
【補正対象書類名】明細書
【補正対象項目名】全文
【補正方法】変更
【補正の内容】
【発明の詳細な説明】
【技術分野】
【０００１】
本発明は、軟質・硬質、およびその組み合わせによる合成樹脂や化学繊維の素材のほか一部分に金属・ファスナー・ゴムを用いて、作業効率を高めながら容易に縫製品や鞄・容器類を作ることができる土台パーツと補助・補強パーツ、その付属品に関するものである。
【背景技術】
【０００２】
現在縫製品の作成については、型紙の作成・縫い線の目印となる切り躾をした表地の作成・芯地の作成・切り躾をした裏地の作成など作業工程が複雑で縫製知識が必要である。
【先行技術文献】
【特許文献】
【０００３】
【特許文献１】特開２００２−２７２５２４号公報
【特許文献２】特開平１１−２９０１１１号公報
【発明の概要】
【発明が解決しようとする課題】
【０００４】
現在、古い布などは再利用されずに処分されているものが多く、ごく一部の人しか他の作品に再利用する知識や手段を持っていない状況である。
【課題を解決するための手段】
【０００５】
本発明は、ミシンを持たない人や縫製知識がない人でも作品作りが容易となるよう考案しているもので、それぞれ製作物ごとにおおよその形状を保った土台となるパーツの必要部分にネジ穴・ガイド用穴・ガイドライン・目印などを付け、表地で包み込み縫製・組み立て・組み合わせ作業を容易に進めていくことができるよう工夫したものである。
【発明の効果】
【０００６】
各パーツは解体することが出来るため、内袋の洗濯・表地の取り替えなども可能であり、さらにパーツの一部を使用しなかったり、追加して使用したり、不要な部分を切り取ったり、相対する部分を違う形状のパーツに取り替えたりすることで、大きさや形の変化・軽量化を図ることができ、パーツと布の使い方次第でさまざまなデザイン展開が可能であることを特色とする。
【０００７】
パーツそのものが作品の型紙となるため従来のような型紙作成や切り躾などの印を付ける必要がなく、パーツに模様を入れることで、裏地となったり薄い表地を使用するときには透かし模様となったり、また部分的に硬度・強度を高めることにより芯地となり骨組みとなるものである。さらに裏地を必要としない場合は不要箇所を切り取り軽量化も図れる。このように、パーツに複数の要素を兼ね備えた機能を持たせているため、土台としてのパーツを提供することで縫製作業の単純化と効率化が可能となる。
【０００８】
一部のパーツをはぶき、それぞれのパーツを複数回使用できる利点があるため、新しい生地の利用だけでなく、和服・洋服地の再利用を積極的に推奨することで古い布の活発な利用が望めると共に、さまざまな土台パーツを提供することで、帽子とバックや洋服、また親子お揃いなど、独自性・意外性のある作品作りが楽しみながら行われることを特に期待し、作業の簡素化を大きな目的として考案している。
【０００９】
縫製知識のない初心者やミシンを持たない人を想定し、縫製品の土台となる各パーツと付属品を総合的に提供することで作品作りが容易になるよう考案しているが、表地の初期状態でさまざまな加工作業を済ませおおよその形状を保つことができるため、縫製知識がありミシンを持っている人にとっても得意分野を活かしながら作業の簡素化と作品形状の安定を図ることができるものである。さらに、バック作成などにおいて、ミシンでは布地の重なりで厚くなる部分の処理や過重負担の分散・軽減にも、土台パーツの利用やネジの使用で強度を増す対応が可能となる。
【図面の簡単な説明】
【００１０】
【図１−１】バックを例にした構成パーツ図である。（実施例１）
【図１−２】各パーツ結合イメージ図である。
【図１−３】表地で包みバックとして完成させた縮小イメージ図である。
【図２】底面の説明図である。
【図３】前面（背面）の説明図である。
【図４】側面の説明図である。
【図５−１】開き口パーツの説明図である。
【図５−２−１】開き口と持ち手が繋がったパーツ例の説明図である。
【図５−２−２】開き口と持ち手が繋がったパーツ例の側面説明図である。
【図６−１】保護カバー付き内袋の説明図である。
【図６−２】重ね内袋例の説明図である。
【図７−１】ファスナー付き出来上り内ポケット例の説明図である。
【図７−２】ポケット口補助パーツ例の説明図である。
【図８】固定ネジ挿入の説明図である。
【図９−１−１】連結固定ネジの正面図である。
【図９−１−２】連結固定ネジの背面図である。
【図９−１−３】連結固定ネジの側面図である。 
【図９−１−４】連結固定ネジに使用する連結ワッシャーの正面図である。
【図９−２】コーナー連結固定ネジを背面斜めから見た拡大図である。
【図９−３】単独固定ネジの正面図である。
【図９−４】底面・側面・前面パーツのネジ締め結合拡大説明図である。
【図１０】側面を円形にした場合の変形実施例説明図である。（実施例２）
【図１０−１】丸みのあるバック例の表地抜け溝説明図である。（実施例３）
【図１０−２】丸みのあるバック例の底面表地抜け溝拡大説明図である
【図１１】丸みのあるパーツに対する補強パーツの説明図である。
【図１２−１】片側に印付けしたテープ状補助パーツの説明図である。
【図１２−２】両側に印付けしたテープ状補助パーツの説明図である。
【図１２−３】パーツとパーツのつなぎ合わせ補助パーツ例の説明図である。
【図１３】かぶせシート状補助パーツ例の説明図である。
【図１４−１】ネジ締め補助パーツの底面図である。
【図１４−２】ネジ締め補助パーツの中央位置からの断面説明図である。
【図１４−３】ネジ締め補助パーツの側面図である。
【図１５−１】ジャケット前身頃パーツ説明図である。（実施例４） 
【図１５−２】後ろ見頃パーツの一部分を示した図である。
【図１５−３】袖パーツの詳細説明図である。
【図１５−４】前身頃と後ろ身頃の肩結合部分拡大説明図である。
【図１５−５−１】前身頃脇ダーツの拡大説明図である。
【図１５−５−２】前身頃脇ダーツに表地をかぶせた状態の説明図である。
【図１５−６】ウエストタックの拡大説明図である。
【図１６−１】六枚はぎ帽子の頭部パーツ１枚の説明図である。（実施例５）
【図１６−２】帽子頭部パーツ３枚を並べた説明図である。
【図１６−３】帽子のつば部分パーツの説明図である。
【図１６−４】帽子の頭部パーツ結合部分の底部から見た拡大説明図である。
【発明を実施するための形態】
【００１１】
過重負担・軽量化・通気性・耐熱性・対紫外線・洗濯可能回数などの考慮点ごとに適切な素材を各パーツに用い、表地に対してより柔軟性を保つようにしながらも部分的に硬度や強度を変え、縫製品の土台としての使用を実現させるものである。
【実施例１】
【００１２】
図１−１ではバックパーツを例に関連する各構成パーツを示し、１に底面、２に前面、３に背面、４に側面、５に開き口のパーツを示しており、それぞれの説明図として、図２に底面、図３に前面(背面)、図４に側面、図５−１に開き口パーツ、図５−２−１に開き口と持ち手が繋がったパーツ、図５−２−２にその開き口と持ち手が繋がったパーツの側面図を示している。底面と前面と背面と側面の各パーツを結合させると図１−２となり、さらに図５−２−１の開き口と持ち手が繋がったパーツを使用して表地をかぶせ結合組み合わせたた例が図１−３で縮小イメージ図として示しているが、図５−１の開き口パーツに既存の持ち手や側面に肩掛けベルトなどを施し形状を変化させることも可能である。
図２底面の６は底鋲穴、７−１と７−２と７−３と７−４はパーツを包み込んだ際に生じる表地の余分な布の抜け溝を各コーナー４か所に設けたものである。図３で示した８は結合部分の浮きが気になる場合やネジを使用しないで作成する時に使用する返し縫いなどのガイド用穴である。９は８のガイド用穴を縦・横両方に対応させたものである。１０は作業をし易くするための指を入れる切り込みを入れた溝、１１は軽量化を図るため、また指を入れて作業をし易くするための開きである。１２−２はネジを挿入する穴であるが図面上のいろいろな穴はすべて利用するのではなく、デザインに合わせて必要箇所を使用するものである。このほか、肩ベルトや持ち手の付け位置を変えたり、ギャザーやタックでの膨らみを加えることでデザイン変化が可能である。図４側面の１４は底面との結合の際に発生する表地の厚みに対応できるよう一段または複数段の蛇腹形状とするものである。図５−１で示した開き口には逆に開けた表地の抜け溝１５を設け、開き口の相対する２面のみ使用する場合は、パーツの不要な面を切り取ることも可能である。図５−２−１で示した開き口と持ち手が繋がったパーツの持ち手は１５−１から１５−２まで繋がっているが切り離しての使用も可能であり、また図５−２−２開き口と持ち手が繋がったパーツの側面図で示した１５−３も持ち手の取り付けの長さを選び短く切り取って使用できるようガイドラインを付けているものである。
図６−１は保護カバー付き内袋の詳細図として前面を開きわかりやすく示した。１６は袋の内側であり１６−１と１６−２はネジ止めした後、または縫い終わって取り付けた後、向かい合わせとなるもので、１６−３は保護カバー付き内袋の縫いガイドラインである。１７は両開きファスナーで、このファスナーは開いた状態で取り付けるものであり、必要に応じて図６−２の重ね内袋とともに二重に合わせて逆さまに取り付けることにより完成させるものである。１８は保護カバーで、あらかじめ、この保護カバー付き内袋の裏側ファスナー横に取り付け済みであり、ファスナーを開き上部に引き上げ使用するものである。１９は保護カバーを持ちあげて使用する際、持ち手を通す開きであり、２０はデザインにサイド用肩ベルトなどを使用する際の開きで先端の２１はその都度開閉して使用し、２２部分はゴムを通してある。
図７−１はファスナー付き出来上り内ポケットのパーツ例を示したもので、これを図７−２のポケット口補助パーツに表地をかぶせた物とともに利用し各パーツの設置可能な穴を選びポケットを配置し固定させるものである。２３−１はファスナー、２３−２はネジ挿入穴、２４はポケット袋の縫い止まり位置を示している。
ネジの挿入に関しての正面図は図８に使用箇所の例を示し２５の連結固定ネジと２６のコーナー連結固定ネジと２７の単独固定ネジなど必要箇所に応じて数種類がある。連結固定ネジについての詳細は図９−１−１に正面図、図９−１−２に背面図、図９−１−３に側面図として示し、必要な数の連結固定ネジに切り取って使用することも可能である。図９−１−４では連結ワッシャー正面図を示したもので、固定ネジと同じ種類がある。図９−２では図８の２６のコーナー連結固定ネジに関して背面斜めから見た拡大図を示し、また２７の単独固定ネジについては図９−３に正面図を示しており、この単独固定ネジは連結固定ネジ２５を切り取って一つの単独固定ネジとすることと同じである。図９−４では２７単独固定ネジと２７−２のナットと２７−３のワッシャーを用いてネジ締めする場合の関連性を含め、拡大詳細図として示しており、底面と前面と側面の各パーツを結合させるとき、図２の底面１３−１に図４側面の１３−３と図３の前面の１３−２とが重なるよう合わせ、前面パーツネジ穴１２−２から側面パーツネジ穴１２−３底面と前面と側面底面パーツネジ穴１２−１を通し締めるものであるが、それぞれのパーツの厚みの違いやネジ穴の形状の違いなどを斜視図にして示したもので、穴１２−１と穴１２−３の正面図が１２−aで穴１２−２の正面図が１２−bである。この１２−２の前面パーツネジ穴は２７のネジ頭部が隙間なく沈み込むよう窪みを付けて工夫し緩みを極力少なくするものである。
【実施例２】
【００１３】
図１０では実施例１の図３前面（背面）を二枚使用し、側面パーツを２８のような円形に取り替え底面を使用しない場合の筒型バック例を示した。一部分表地をはがした状態でわかり易く示したもので、底面がないため前面と背面の底の結合部に図１２−３で示したつなぎ合わせ補助パーツの中央線３２−３を合わせて使用しているものである。このつなぎ合わせ補助パーツは使用する箇所によって自由に必要なだけ切り取り持ち手の補強パーツとしたり、また、実施例１の側面パーツの代わりに骨組み用として利用し側面パーツをあえて使用しないことで図１−３に示したバックの側面の外見に若干の膨らみを持たせた形状を可能とする。この筒型バック例の側面パーツ２８を底面として使用し縦にすると筒状の巾着型になり、また側面を五角形や六角形のパーツを用いてつなぎ合わせるとボール状になるなど、パーツの組み合わせ変更でさまざまな形状の変化が可能である。
【実施例３】
【００１４】
図１０−１では結合部に丸みがあるパーツ例としてバックの背面を例に示し従来のギャザー・タックを設置する箇所に２９−１や２９−２のように表地抜け溝を長さや数を調整して設け、また各コーナーに１４の蛇腹形を取り入れることにより、底面との間に発生する表地の影響を解消させるものである。同じく底面結合部の丸みに対しても図１０−２の２９−３のように抜け溝を必要数設け表地の重なりを防いで簡単に不要な表地を処理できるものである。この例で示した楕円の底面パーツと図３で示した前面（背面）パーツとつなぎ合わせパーツを利用することもでき、必ずしも底面との円周が合致しなくてもデザインの展開は可能であることを特色としている。この丸みのあるバックの補強パーツを図１１に示し３０は前面・背面を補強し、３０−１は開き口を３０−２は持ち手を、３０−３は底面との結合部をそれぞれ補強し、３１は側面に取り付ける場合の肩ベルトなどを補強するものである。  
【００１５】
図１２−１では３２−１のように片側だけガイド用穴や印付けをしたテープ状補助パーツを示し、図１２−２では３２−２のように両側に印付けをしたテープ状補助パーツを示したが各用途に合わせ直線・曲線があり、従来のバイヤステープの機能を持たせている。切り込みを入れ使用したり、薄物の縫製の際には縫い線補強テープとなるものである。
【００１６】
各パーツを包み込んだ表地を保護したい場合などに使用するかぶせシート状補助パーツを図１３において実施例１の前面・背面用として示したが無地透明なものから模様入り、あるいは内側の表地が柄となって現れるよう一部切り抜きのほか、場合によっては前面・背面パーツの代用として使用することも可能である。
【００１７】
図１４−１ではネジ締め補助パーツの底面図を示しており、これは図９−３単独固定ネジ２７の溝２７−１に３３−１の突起部分を合わせることでネジ頭部の固定を補助する。図１４−２ではネジ締め補助パーツの、３３−２中央位置部分の３３−２aから３３−２bのラインに沿って切断した上部断面図を示し、さらに図１４−３でネジ締め補助パーツの側面図を示している。
【実施例４】
【００１８】
洋服のジャケットを例に図１５−１でダーツとタックのある前身頃を示し、３４−４は襟、３４−５は衿に続く上前の見返し、３４−６は上前裾に対する見返しパーツである。３４−２は脇ダーツ、３４−３はウエストタック部でいずれも閉じた状態を示している。図１５−２は後ろ見頃パーツの一部分を示したもので後ろ身頃肩端の３４−１−２部分を拡大表示したのが３４−１−２aの円内である。３４−１−２後ろ見頃肩端と図１５−１の３４−１−１前身頃肩端を結合させる際のイメージ図を拡大して図１５−４で示したが、３４−１−３のように通常の縫製において縫い代を片側に倒すところはパーツの段階で既に折り返してあるもので、パーツを型紙として表地の裁断に利用する時は開いて使用し、表地をかぶせ肩結合ガイドライン３４−１−４と肩結合ガイドライン３４−１−５を合わせて結合後、表地と共にパーツも元の折り返した状態に戻る仕組みである。図１５−１において閉じた状態で示した３４−２脇ダーツを、図１５−５−１で拡大して示し、３４−２のガイドラインに沿って必要な切り込みを入れた後に３４−２−１−１の縫いガイドライン１と３４−２−１−２の縫いガイドライン２を結合させるもので、重なり状態を示した。３４−２−２は折り返してある縫い代部分の切り込みガイドラインで、おおよその印付けをしてあり、図１５−５−２では表地をかぶせた状態を示し、３４−２−３は表地である。袖パーツを示した図１５−３の後ろ身頃側との結合部３５−１−１について３５−１−１aの円内に、また、前身頃側との結合部３５−２−１については３５−２−１aの円内に詳細を拡大して示している。３５−３−１のラインは半袖作成切り取りガイドライン、３５−３−２は七分丈袖の作成切り取りガイドライン、３５−３−３は折り返し七分袖作成切り取りガイドラインとして印を付けており、長袖だけでなくパーツの不要な部分を切り取り、図１２−１や図１２−２のテープ状補助パーツを利用し切り込みを入れながらカーブラインを調節することによって自由なデザインへの変更を可能とする。図１５−６では、図１５−１において閉じた状態で示した３４−３ウエストタックを開いた状態で拡大図として示し、３４−３−１は切り込みガイドライン、３４−３−２は表地のタック分を入れ込むための切り開き箇所で余分な表地の抜け溝となる。
【実施例５】
【００１９】
６枚はぎの帽子を例に図１６−１に頭部パーツ１枚を示した。図１６−２は頭部パーツ６枚のうち３枚を結合させるために並べたイメージ図であり、３６−１と３６−２を洋服の例と同様に結合させていくもので、３６−３は作業をしやすくした空きである。図１６−３はつば部分のパーツを示し３６−４はつばと頭部パーツとの結合ガイドラインであり、図１６−４では頭部パーツをつなぎ合わせていく場合の下から見た重なりを拡大図として示している。
【００２０】
このように縫製・組み立て・組み合わせ方法も含めて土台パーツと補助・補強・付属パーツを提供することで、ミシンを持っていなくても、また縫製の知識がなくても独自性・独創性のある作品作りが可能となる考案である。
【産業上の利用可能性】
【００２１】
ものづくりをきっかけとして、古い布・廃棄する布の有効活用や、繊維・縫製・ベルト、金具などの関連業界への波及効果も期待され、また楽しみながらパーツを複数回利用し続ける過程で縫製に対してより興味を持つことができれば低価格ミシンへの需要も望め、さらに、簡単な作業なので多忙な人からの制作依頼を高齢者・障害者が対応することで雇用の面でも期待されるところである。
【符号の説明】
【００２２】
１                 長方形バック例の底面
２                 長方形バック例の前面
３                 長方形バック例の背面
４                 長方形バック例の側面
５                 長方形バック例の開き口
６                 長方形バック例の底鋲穴
７−１            長方形バック例の表地の抜け溝１
７−２            長方形バック例の表地の抜け溝２
７−３            長方形バック例の表地の抜け溝３
７−４            長方形バック例の表地の抜け溝４
８                 結合部の返し縫いをする場合のガイド用溝
９                 縦と横に対応した返し縫いをする場合のガイド用溝
１０               指を入れて作業をしやすくするための切り込み溝
１１               軽量化を図るためと指を入れて作業をしやすくするための開き
１２−１          底面パーツのネジ穴
１２−２          前面（背面）パーツのネジ穴
１２−３          側面パーツのネジ穴
１２−a           底面パーツ穴１２−１と側面パーツ穴１２−３の正面図
１２−b           前面パーツ穴１２−２の正面図
１３−１          側面と前面との合わせ位置
１３−２          底面と側面との合わせ位置
１３−３          底面と前面との合わせ位置
１４              １段または複数段の蛇腹形状
１５               開き口に設けた表地の抜け溝
１５−１          開き口と持ち手が繋がる部分１
１５−２          開き口と持ち手が繋がる部分２
１５−３          持ち手の長さ変更ガイドライン
１６               保護カバー付き内袋の内側
１６−１          向かい合わせ面１
１６−２          向かい合わせ面２
１６−３          保護カバー付き内袋を縫いつける場合のガイドライン
１７               保護カバー付き内袋の両開きファスナー
１８               保護カバー
１９               保護カバーの持ち手通し開き
２０               保護カバーの肩ベルトの通し用開き
２１               保護カバーの肩ベルト通し用先端開閉部分
２２               保護カバーのゴム挿入部分
２３−１          ファスナー付き出来上り内ポケット
２３−２          ファスナー付き出来上り内ポケットのネジ挿入穴
２４               ファスナー付き出来上り内ポケットの袋部分縫い止まり位置
２５               連結固定ネジ
２６               コーナー連結固定ネジ
２７               単独ネジ
２７−１          ネジ締め補助パーツで各ネジを固定するための溝
２７−２          ナット
２７−３          ワッシャー
２８               円形バックの側面パーツ
２９−１          丸みのあるバックでの長さの違う表地の抜け溝１
２９−２          丸みのあるバックでの長さの違う表地の抜け溝２
２９−３          丸みのあるバックの底面に設けた表地の抜け溝
３０               丸みのあるバックの背面を補強
３０−１          丸みのあるバックの開き口を補強
３０−２          丸みのあるバックの持ち手を補強
３０−３          丸みのあるバックの底面を補強
３１               丸みのあるバックのサイド肩掛け取り付け部を補強
３２−１          片側一列の印やガイド用穴
３２−２          両側二列の印やガイド用穴
３２−３          つなぎ合わせ補助パーツ中央合わせライン
３３−１          各ネジの正面溝に入れる突起
３３−２          ネジ締め補助パーツ断面図の中央切断箇所
３３−２a         ネジ締め補助パーツ断面図の切断始まり地点
３３−２b         ネジ締め補助パーツ断面図の切断終わり地点
３４−１−１       前身頃肩端
３４−１−２       後ろ身頃肩端
３４−１−２a     後ろ身頃肩端部分拡大表示
３４−１−３       パーツの段階で折り返されている肩部分
３４−１−４       肩結合ガイドライン１
３４−１−５       肩結合ガイドライン２
３４−２            前身頃脇ダーツライン
３４−２−１−１  脇ダーツの縫いガイドライン１
３４−２−１−２  脇ダーツの縫いガイドライン２
３４−２−２       縫い代部分の切り込みガイドライン
３４−２−３       パーツにかぶせた表地
３４−３            前身頃ウエストタック
３４−３−１       ウエストタックの切り込みガイドライン
３４−３−２       タックとしての表地抜け溝
３４−４            襟
３４−５            見返し 
３４−６           上前裾に対する見返しパーツ  
３５−１−１       袖の後ろ身頃側との結合部分
３５−１−１a      袖の後ろ身頃側との結合部分拡大表示
３５−２−１       袖の前身頃側との結合部分
３５−２−１a      袖の前身頃側との結合部分拡大表示
３５−３−１       半袖作成切り取りガイドライン
３５−３−２       七分丈袖の作成切り取りガイドライン
３５−３−３       折り返し七分袖作成切り取りガイドライン
３６−１            帽子の頭部パーツ結合位置１
３６−２            帽子の頭部パーツ結合位置２
３６−３            帽子の頭部パーツ作業用開き
３６−４            帽子頭部パーツとの結合ガイドライン
【手続補正２】
【補正対象書類名】特許請求の範囲
【補正対象項目名】全文
【補正方法】変更
【補正の内容】
【特許請求の範囲】
【請求項１】
表地をかぶせ組み合わせて形成されるバッグ、鞄、帽子、洋服、容器の、形状を保ち土台となることを目的としたパーツとして、それぞれ必要箇所に、余分な表地の抜け溝、ガイド用溝、切り込み溝、軽量化及び作業効率及びデザイン性を図るための空きや模様、目印やガイドライン、包み込む表地の厚みに対し微調整可能な蛇腹形を用い、縫い代が倒れるべき方向に予めパーツの状態で縫い代部分を倒してあり、連結固定ネジ及びコーナー連結固定ネジ挿入の穴においてはネジの頭部がネジ穴と一体化して沈み込むように窪みを設けていることを特徴とし、さらに形成過程の補助と補強を目的としたパーツとして、つなぎ合わせ補助パーツ、連結させたネジ、ネジ締め補助パーツ、ファスナー付き出来上り内ポケット、結合部の緩みを目視及び確認できるとともに雨や埃をよけるファスナー付き保護カバー内蔵の内袋、表地を保護するためのかぶせシートを、必要に応じ配置できるようにしたもので、結合組み合わせにおいて常にガイド用の穴やラインまたはネジ穴またはその両方を必要とすることを共通の特徴とするパーツ。
【手続補正４】
【補正対象書類名】図面
【補正対象項目名】全図
【補正方法】変更
【補正の内容】
【図１−１】
2017029570.tif 000100
【図１−２】
2017029570.tif 000101
【図１−３】
2017029570.tif 000102
【図２】
2017029570.tif 000103
【図３】
2017029570.tif 000104
【図４】
2017029570.tif 000105
【図５−１】
2017029570.tif 000106
【図５−２−１】
2017029570.tif 000107
【図５−２−２】
2017029570.tif 000108
【図６−１】
2017029570.tif 000109
【図６−２】
2017029570.tif 000110
【図７−１】
2017029570.tif 000111
【図７−２】
2017029570.tif 000112
【図８】
2017029570.tif 000113
【図９−１−１】
2017029570.tif 000114
【図９−１−２】
2017029570.tif 000115
【図９−１−３】
2017029570.tif 000116
【図９−１−４】
2017029570.tif 000117
【図９−２】
2017029570.tif 000118
【図９−３】
2017029570.tif 000119
【図９−４】
2017029570.tif 000120
【図１０】
2017029570.tif 000121
【図１０−１】
2017029570.tif 000122
【図１０−２】
2017029570.tif 000123
【図１１】
2017029570.tif 000124
【図１２−１】
2017029570.tif 000125
【図１２−２】
2017029570.tif 000126
【図１２−３】
2017029570.tif 000127
【図１３】
2017029570.tif 000128
【図１４−１】
2017029570.tif 000129
【図１４−２】
2017029570.tif 000130
【図１４−３】
2017029570.tif 000131
【図１５−１】
2017029570.tif 000132
【図１５−２】
2017029570.tif 000133
【図１５−３】
2017029570.tif 000134
【図１５−４】
2017029570.tif 000135
【図１５−５−１】
2017029570.tif 000136
【図１５−５−２】
2017029570.tif 000137
【図１５−６】
2017029570.tif 000138
【図１６−１】
2017029570.tif 000139
【図１６−２】
2017029570.tif 000140
【図１６−３】
2017029570.tif 000141
【図１６−４】
2017029570.tif 000142